(57)【要約】【課題】電池の消耗を少なくし、電池の持ち時間を長くした戸別受信機を提供する。【解決手段】親局からの放送を受信する受信部２と、ＡＣ電源動作中か電池動作中かを検出しこの検出した結果を監視する監視部７、および電池１２と監視部７との間に設けられた常開型の切替器１０を有する検出手段１６と、受信部２にて受信した信号に応じて切替器１０を制御することにより電池１２と監視部７とを接離する制御部３と、親局からの放送の時、電池１２と監視部７とを接続することにより検出手段１６にて電池１２の電池容量を検出し、放送の時以外には電池１２と監視部７とを切離す。【選択図】図１
2006074429.tif 000002
【特許請求の範囲】
【請求項１】
親局からの放送を受信する受信部と、ＡＣ電源動作中か電池動作中かを検出しこの検出した結果を監視する監視部、および電池と前記監視部との間に設けられた常開型の切替器を有する検出手段と、前記受信部にて受信した信号に応じて前記切替器を制御することにより前記電池と前記監視部とを接離する制御部と、前記親局からの放送の時、前記電池と前記監視部とを接続することにより前記検出手段にて前記電池の電池容量を検出し、前記放送の時以外には前記電池と前記監視部とを切離すことを特徴とする戸別受信機。
【請求項２】
前記受信部にて受信した信号が放送であると前記制御部が判定した場合、前記制御部にて前記切替器を制御することで、前記電池と前記監視部とを接続することにより、前記検出部にて前記電池容量を検出することを特徴とする請求項１記載の戸別受信機。
【請求項３】
前記電池容量が所定値以下に低下した時に報知音による出力を行う出力手段と、
前記検出手段にて検出された前記電池容量の報知情報を記憶する記憶部とを備え、前記放送が終了すると、前記記憶部に記憶された前記報知情報を呼び出し、前記出力手段にて報知音による出力を行う特徴とする請求項１または２記載の戸別受信機。
【請求項４】
前記検出手段は、前記電池動作中には、所定の周期にて前記電池容量の検出を行うことを特徴とする請求項１ないし３のいずれかに記載の戸別受信機。
【発明の詳細な説明】
【技術分野】
【０００１】
本発明は、防災行政無線システム等に用いられる戸別受信機に関するものである。
【背景技術】
【０００２】
一般に、戸別受信機は、各家庭に設置され、役場等に設置された親局からの放送を受信し、住民に災害時における緊急情報や日常行政情報等を通知するものである。
【０００３】
従来の戸別受信機では、親局から無線空間を通って伝送された信号はアンテナから受信部に受信され、デジタル信号に復調され、このデジタル信号はアナログ信号に戻され、スピーカから出力するようになっている（例えば、特許文献１参照。）。
【０００４】
このような従来の戸別受信機では、通常時ＡＣ電源で動作するようになっており、ＡＣ電源の停電の際には、ＡＣ電源から自動的に電池に切り替えを行うことにより、電池で動作するようになっている。
【０００５】
そして、従来の戸別受信機では、常時、電池電圧の大きさ、すなわち電池容量を検出するようにしており、電池容量が低下したことを表示部のＬＥＤを点滅させること等により新しい電池に交換することを使用者に促すことで、ＡＣ電源の停電時には電池での動作を行えるようにしている。
【特許文献１】特開２００３−１１０５１１号公報（第３頁、図１）
【発明の開示】
【発明が解決しようとする課題】
【０００６】
しかしながら、従来の戸別受信機では、常時、電池容量を検出しているため、電池が常に消費されており、電池の持ち時間が短くなるという問題があった。
【０００７】
本発明は、電池の持ち時間を長くすることのできる戸別受信機を提供することを目的とするものである。
【課題を解決するための手段】
【０００８】
本発明の戸別受信機は、親局からの放送を受信する受信部と、ＡＣ電源動作中か電池動作中かを検出しこの検出した結果を監視する監視部、および電池と前記監視部との間に設けられた常開型の切替器を有する検出手段と、前記受信部にて受信した信号に応じて前記切替器を制御することにより前記電池と前記監視部とを接離する制御部と、前記親局からの放送の時、前記電池と前記監視部とを接続することにより前記検出手段にて前記電池の電池容量を検出し、前記放送の時以外には前記電池と前記監視部とを切離すものである。
【０００９】
この構成により、放送時以外には、電池と監視部とを切り離すことができ、電池の無駄な消費を減らすことができる。
【００１０】
本発明の戸別受信機は、前記受信部にて受信した信号が放送であると前記制御部が判定した場合、前記制御部にて前記切替器を制御することで、前記電池と前記監視部とを接続することにより、前記検出部にて前記電池容量を検出するものである。
【００１１】
この構成により、放送時以外には、監視部と電池とを切り離すことができ、電池の無駄な消費を減らすことができる。
【００１２】
本発明の戸別受信機は、前記電池容量が所定値以下に低下した時に報知音による出力を行う出力手段と、前記検出手段にて検出された前記電池容量の報知情報を記憶する記憶部とを備え、前記放送が終了すると、前記記憶部に記憶された前記報知情報を呼び出し、前記出力手段にて報知音による出力を行うものである。
【００１３】
この構成により、放送の音声と報知音が重ならないようにできる。
【００１４】
本発明の戸別受信機は、前記検出手段は、前記電池動作中には、所定の周期にて前記電池容量の検出を行うものである。
【００１５】
この構成により、電池動作中にも電池容量の検出を行うことができる。
【発明の効果】
【００１６】
本発明は特定の期間に限って、電池と監視部とを接続することにより、電池容量を検出するようにしているので、電池の無用な消費電流を抑えて、電池の持ち時間を長くすることができる戸別受信機を提供することができるものである。
【発明を実施するための最良の形態】
【００１７】
以下、本発明の実施の形態について、図面を用いて説明する。
【００１８】
図１は、本発明の実施の形態である戸別受信機のブロック図を示す。
【００１９】
図１に示すように、本発明の実施の形態の防災行政無線システム等に用いられる戸別受信機は、親局（図示せず）からの放送を受けるアンテナ１と、アンテナ１に接続され、アンテナ１で親局からの放送を受信しアナログ信号を音声信号またはデータ信号のデジタル信号に変換する受信部２と、受信部２に接続されたＣＰＵからなる制御部３と、制御部３に接続され、音声信号を録音し音声データを録音および再生する録音再生部４と、制御部３に接続され、受信部２からの音声信号または報知音を増幅する音声増幅部５と、音声増幅部５に接続され音声または報知音を出力する出力手段であるスピーカ６と、各部の監視を行う監視部７と、制御部３に接続され、データ信号を出力するデータ出力部８と、データ出力部８に接続されたデータコネクタ９と、監視部７と内蔵した電池１２との間に設けられたトランジスタ等のスイッチング素子からなる常開型の切替器１０と、ＡＣ電源に接続され、各部に電源を供給する電源部１１と、戸別受信機の情報、戸別受信機の異常または警告等の報知情報を表示するＬＥＤ等を有する出力手段である表示部１３と、制御部３に接続され、監視部７にて出力された異常または警告等の報知情報を記憶する記憶部１４と、戸別受信機の音量調整用ボリューム、録音ボタン、再生ボタン等を操作する操作部１５とを備える。
【００２０】
監視部７と電池１２とは制御部３によって接離されるようになっている。ここで、接離とは、接続または切離しをいう。
【００２１】
監視部７は、戸別受信機がＡＣ電源にて動作しているか否かを監視するＡＣ電圧動作監視部７ａ、戸別受信機が電池１２にて動作しているか否かを監視する電池動作監視部７ｂ、および電池１２の電池容量を検出し監視する電池容量監視部７ｃを有する。
【００２２】
監視部７と切替器１０とで検出手段１６が構成されている。検出手段１６は、戸別受信機を構成する各部の状態、すなわちＡＣ電源動作および電池動作のいずれかであるか、戸別受信機の異常状態または警告状態等を検出しこの検出した結果を監視する。戸別受信機の異常状態または警告状態等を検出する方法としては、例えば、クロック信号の周期を監視することにより行われる。
【００２３】
また、受信部２で音声信号に変換された場合には、音声信号は制御部３を経由し音声増幅部５にて増幅され、スピーカ６から音声を出力する。音声信号を録音するには、録音再生部３にて音声データを記録する。一方、受信部２でデータ信号に変換された場合には、データ信号は制御部３およびデータ出力部８をそれぞれ経由しデータコネクタ９からデータを出力する。
【００２４】
次に、上記戸別受信機の動作について、図２ないし図４に示すフローチャートを用いて説明する。
【００２５】
図２において、戸別受信機の動作中には、監視部７において、常に、ＡＣ電源動作か電池動作かを確認する（ステップＳ１０１）。ＡＣ電源動作の場合には、ＡＣ電圧動作監視部７ａにてＡＣ電源動作を確認し（ステップＳ１０２）、図３に示すシーケンスで電池容量を監視する。一方、電池動作の場合には、電池動作監視部７ｂにて電池動作を確認し（ステップＳ１０３）、図４に示すシーケンスで電池容量を監視する。
【００２６】
戸別受信機の通常状態・放送状態、電池動作状態の各場合に分けて、電池容量の監視シーケンスを以下説明する。
１．戸別受信機の通常状態（ＡＣ電源動作時）の場合
戸別受信機は、ＡＣ電源にて動作し、親局からの放送を受信するために待機している。この受信待機中には、親局からの基準信号受信動作およびスリープ動作を繰り返している。すなわち、基準信号受信動作中には、親局からの基準信号を受信するために、ＡＣ電源からの電源を電源部１１から受信部２および制御部３にそれぞれ供給する。電源供給後、親局からの基準信号を、アンテナ１を介して受信部２にて受信する。一方、スリープ動作中には、ＡＣ電源からの電源を電源部１１から受信部２等に供給していた電源供給を停止し、制御部３のみを動作させる。制御部３にてタイマをカウントし、このカウント状態を一定時間が経過するまで継続する。一定時間が経過すると、次の基準信号受信動作および次のスリープ動作に順次移行し、以降、同様にして基準信号受信動作およびスリープ動作を繰り返す。
２．戸別受信機の放送状態（ＡＣ電源動作時）の場合
一般に、防災行政無線システムでは基本的に１日１回は放送があるので、本実施の形態の戸別受信機ではその放送中に、電池容量の検出を行うことで、本発明の目的を効果的に達成するものである。
【００２７】
図３において、アンテナ１を介して受信部２にて親局からの電波を受信し、受信部２にてアナログ信号をデジタル信号に変換し、制御部３にてデジタル信号を復調しこの復調した信号のヘッダにより、自己の信号、放送の信号、およびデータ出力の信号のいずれかを判定し、受信した信号が放送であることを確認すると、ＡＣ電源からの電源を電源部１１から各部に供給し、音声信号は、制御部３を経由し音声増幅部５にて増幅され、スピーカ６から音声を出力して放送を開始する（ステップＳ２０１）。そうすると、制御部３にて電池１２の電池容量の監視シーケンスを開始する。
【００２８】
この電池容量の監視シーケンスについて以下説明する。
【００２９】
まず、監視部７による監視回数を例えば３回にセットし（ステップＳ２０２）、残りの監視回数が０か否かを判定する（ステップＳ２０３）。残りの監視回数が０でないと判定した場合は（ステップＳ２０３、ＮＯ）、セットした監視回数と実行した監視回数との差分をとる（ステップＳ２０４）。
【００３０】
１回目の電池容量監視は次のとおり行う。切替器１０を制御して、監視部７と電池１２
とを接続する（ステップＳ２０５）。この接続状態から、一定時間経過後に、電池容量監視部７ｃにて電池容量の検出を行う。この検出の終了後、切替器１０を制御して、監視部７と電池１２とを切離す（ステップＳ２０６）。そして、監視部７にて電池容量が正常か否かを判定する（ステップＳ２０７）。この判定は、戸別受信機の動作に必要な電池容量、すなわち所定の電圧値を越えている時、電池容量が正常であると判断し、その電圧値以下に低下した時、電池容量が正常でないと判断することにより行う。
【００３１】
２回目の電池容量監視は、１回目の電池容量監視から一定時間経過後、切替器１０を制御して、１回目の電池容量監視と同じ動作を繰り返す。
【００３２】
３回目の電池容量監視は、２回目の電池容量監視から一定時間経過後、切替器１０を制御して、１回目の電池容量監視と同じ動作を繰り返す。
【００３３】
ここで、放送中に３回行う電池容量の検出にて、電池容量が３回すべて正常であった場合には、電池１２は正常であると判定する（ステップＳ２０７、ＹＥＳ）。
【００３４】
一方、少なくとも１回でも正常でなかった場合には、電池１２は正常でないと判定する（ステップＳ２０７、ＮＯ）。そして、正常でないとの判定結果になったときには、その報知情報を監視部７の電池容量監視部７ｃにて記録し（ステップＳ２０８）、かつ記憶部１４に記憶するとともに、表示部１３にてＬＥＤを点滅させた後（ステップＳ２０９）、放送が終了する（ステップＳ２１０）。放送終了後において報知を行うか否かを判定する（ステップＳ２１１）。報知を行う場合は（ステップＳ２１１、ＹＥＳ）、記憶部１４に記憶された報知情報を呼び出し、スピーカ６から報知音を出力させる（ステップＳ２１２）。これによって、放送の音声と報知音が重なってしまう不都合をなくすことができる。
【００３５】
なお、電池容量判定で正常でないと判定された場合、その判定以降の切替器１０の制御は行わない。
【００３６】
上記ステップＳ２０３において、電池容量の検出で電池容量が３回すべて正常の場合、電池容量の検出が３回すべて終了すると、残りの監視回数が０となり（ステップＳ２０３、ＹＥＳ）、以後放送が終了する（ステップＳ２１０）。放送終了後において報知を行うか否かを判定し（ステップＳ２１１）、報知を行わない場合は（ステップＳ２１１、ＮＯ）、スピーカ６から報知音を出力しない。
【００３７】
なお、放送終了後は、次回の放送開始まで切替器１０を制御して、監視部７と電池１２とを接続することはない。
３．戸別受信機の電池動作状態の場合
ＡＣ電源の停電または戸別受信機の戸外使用の際、戸別受信機は、電池１２にて動作し、親局からの放送を受信するために待機している。この場合、戸別受信機は、親局からの基準信号受信動作、スリープ動作、および例えば３０秒に一回強制的に行われる電池容量の監視シーケンスを繰り返す。
【００３８】
図４において、まず、戸別受信機が電池１２で受信待機中、親局からの基準信号受信動作について説明する。基準信号受信動作中には、親局からの基準信号を受信するために、電池１２からの電源を電源部１１から受信部２および制御部３にそれぞれ供給する。電源供給後、親局からの基準信号をアンテナ1を介して受信部２にて受信する。以降、前述と同様にしてスピーカ６から音声を出力して放送を開始する（ステップＳ３０１）。
【００３９】
つぎに、戸別受信機が電池１２で受信待機中のスリープ動作について説明する。
【００４０】
受信待機中（ステップＳ３０１、ＮＯ）のスリープ動作中には、電池１２からの電源の受信部２への供給を停止し、制御部３のみを動作させる。制御部３にてタイマをカウントし（ステップＳ３０２）、このカウント状態を一定時間が経過するまで保持する（ステップＳ３０３）。一定時間が経過すると（ステップＳ３０２、ＹＥＳ）、つぎの基準信号受信動作およびスリープ動作に順次移行し、以降、同様にして基準信号受信動作およびスリープ動作を繰り返す。
【００４１】
さらに、３０秒に一回行われる電池容量の監視シーケンスについて説明する。
【００４２】
１回目の電池容量の監視はつぎのとおり行う。電池容量の監視シーケンス開始と親局からの基準信号受信動作の開始および基準信号受信動作が重なった場合には、基準信号受信動作が終了後、電池容量の監視シーケンスを開始する。まず、監視部７による監視回数を例えば３回にセットし（ステップＳ３０４）、残り監視回数のチェックを行い、残り監視回数が０か否かを判定する（ステップＳ３０５）。そして、セットした監視回数と実行した監視回数との差分をとる（ステップＳ３０６）。
【００４３】
１回目の電池容量監視はつぎのとおり行う。切替器１０を制御して、監視部７と電池１２とを接続する（ステップＳ３０７）。この接続状態から、一定時間経過後に、電池容量監視部７ｃにて電池容量の検出を行う。この検出の終了後、切替器１０を制御して、監視部７と電池１２とを切離す（ステップＳ３０８）。そして、監視部７にて電池容量が正常か否かを判定する（ステップＳ３０９）。この判定は、前述と同様にして行われる。
【００４４】
２回目の電池容量監視は、１回目の電池容量監視から一定時間経過後、切替器１０を制御して、１回目の電池容量監視と同じ動作を繰り返す。
【００４５】
３回目の電池容量監視は、２回目の電池容量監視から一定時間経過後、切替器１０を制御して、１回目の電池容量監視と同じ動作を繰り返す。
【００４６】
ここで、放送中に３回行う電池容量のチェックにて、電池容量が３回すべて正常であった場合には、電池１２は正常であると判定する（ステップＳ３０９、ＹＥＳ）。
【００４７】
一方、少なくとも１回でも正常でなかった場合には、電池１２は正常でないと判定する（ステップＳ３０９、ＮＯ）。そして、正常でないとの判定結果になったときには、その報知情報を、監視部７の電池容量監視部７ｃにて記録し（ステップＳ３１０）、かつ記憶部１４に記憶するとともに、表示部１３にてＬＥＤを点滅させた後（ステップＳ３１１）、放送が終了する（ステップＳ３１２）。放送終了後において報知を行うか否かを判定する（ステップＳ３１３）。報知を行う場合は（ステップＳ３１３、ＹＥＳ）、記憶部１４に記憶された報知情報を呼び出し、スピーカ６から報知音を出力させる（ステップＳ３１４）。これによって、放送の音声と報知音が重なってしまう不都合をなくすことができる。
【００４８】
なお、電池容量判定で正常でないと判定された場合、その判定以降の切替器１０の制御は行わない。
【００４９】
上記ステップＳ３０５において、電池容量の検出で電池容量が３回すべて正常の場合、電池容量の検出が３回すべて終了すると、残りの監視回数が０となり（ステップＳ３０５、ＹＥＳ）、以後放送が終了する（ステップＳ３１２）。放送終了後において報知を行うか否かを判定し（ステップＳ３１３）、報知を行わない場合は（ステップＳ３１３、ＮＯ）、スピーカ６から報知音を出力しない。
【００５０】
なお、放送終了後は、次回の放送開始まで切替器１０を制御して、監視部７と電池１２とを接続することはない。
【００５１】
以上、３回すべての電池容量監視が終了した後は、次回の電池容量の監視シーケンスが開始されるまで切替器１０を制御して、監視部７と電池１２とを接続することはない。
【００５２】
以上のように、本発明の実施の形態の戸別受信機は、放送中に限って、電池１２と監視部７とを接続することにより、電池容量を検出するようにしているので、電池１２の無用な消費電流を抑えて、電池１２の持ち時間を長くすることができる。また、放送終了後に報知音をスピーカ６から出力するようにしているので、放送の音声と報知音が重ならず、報知音を使用者に聞きやすい状態で報知することができる。
【産業上の利用可能性】
【００５３】
以上のように、本発明にかかる戸別受信機は、電池の無用な消費電流を抑えて、電池の持ち時間を長くすることができるという効果を有し、防災行政無線システム等の戸別受信機として有用である。
【図面の簡単な説明】
【００５４】
【図１】本発明の実施の形態の戸別受信機のブロック図
【図２】本発明の実施の形態の戸別受信機のＡＣ電源動作および電池動作のフローチャート
【図３】本発明の実施の形態の戸別受信機の処理手順の例を示すフローチャート
【図４】本発明の実施の形態の戸別受信機の処理手順の例を示すフローチャート
【符号の説明】
【００５５】
１  アンテナ
２  受信部
３  制御部
６  スピーカ
７  監視部
７ａ  ＡＣ電圧動作監視部
７ｂ  電池動作監視部
７ｃ  電池容量監視部
１０  切替器
１１  電源部
１２  電池
１４  記憶部
１６  検出手段
【図１】
2006074429.tif 000003
【図２】
2006074429.tif 000004
【図３】
2006074429.tif 000005
【図４】
2006074429.tif 000006